【手続補正書】
【提出日】平成18年6月7日(2006.6.7)
【手続補正１】
【補正対象書類名】明細書
【補正対象項目名】特許請求の範囲
【補正方法】変更
【補正の内容】
【特許請求の範囲】
【請求項１】  下部走行体に上部旋回体を装着した旋回作業車両において、
前記上部旋回体の機械室を少なくとも覆う外装カバーと、
保護プレートと、
を備え、
前記保護プレートは、前記外装カバーの内周面に沿う形状のフランジ部と、レボフレームに載置するための載置部とを有することを特徴とする外装カバー保護プレートを備えた旋回作業車両。
【請求項２】  前記保護プレートを、前記外装カバーの内周面に対して隙間を介在させて前記レボフレーム上に取り付けたことを特徴とする請求項１記載の旋回作業車両。
【請求項３】  前記保護プレートのフランジ部に、切欠部を形成してなることを特徴とする請求項１又は２記載の旋回作業車両。
【請求項４】  前記外装カバー及び前記保護プレートが、前記上部旋回体の左右後端部における少なくとも一方に配置されてなることを特徴とする請求項１〜３のいずれかに記載の旋回作業車両。
【請求項５】  前記保護プレートで保護される左右の外装カバーが、開閉自在の外装カバーであることを特徴とする請求項４記載の旋回作業車両。
【手続補正２】
【補正対象書類名】明細書
【補正対象項目名】００１２
【補正方法】変更
【補正の内容】
【００１２】
【課題を解決するための手段】
本願発明の課題は本願請求項１〜５に記載された各発明により達成される。
即ち、本願請求項１に係る発明は、下部走行体に上部旋回体を装着した旋回作業車両において、前記上部旋回体の機械室を少なくとも覆う外装カバーと、保護プレートと、を備え、前記保護プレートは、前記外装カバーの内周面に沿う形状のフランジ部と、レボフレームに載置するための載置部とを有することを特徴とする外装カバー保護プレートを備えた旋回作業車両である。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
保護プレートは、レボフレームに取付けることや、タンク等の機器を受ける架台に取付けることができる。このため、保護プレートを取り付けるためのフレーム等を別途構成する必要がなく、障害物との衝突時においても外装カバーの変形を最小限に抑えることができ、外装カバーとしての機能を維持することができる。
【手続補正５】
【補正対象書類名】明細書
【補正対象項目名】００１７
【補正方法】変更
【補正の内容】
【００１７】
保護プレートは、レボフレームや架台に対してボルト結合により取付けを行う以外にも、溶接による取付け等を行うことができる。また、レボフレームの一部を折り曲げて形成することや、レボフレームの形成時に一体的に形成すること等により構成することもできる。
【手続補正６】
【補正対象書類名】明細書
【補正対象項目名】００１９
【補正方法】変更
【補正の内容】
【００１９】
本願請求項２に係る発明は、請求項１の事項に加えて、前記保護プレートを、前記外装カバーの内周面に対して隙間を介在させて前記レボフレーム上に取り付けた旋回作業車両である。
【手続補正７】
【補正対象書類名】明細書
【補正対象項目名】００２０
【補正方法】変更
【補正の内容】
【００２０】
この発明では、保護プレートは外装カバーに対して、保護プレートの外周面と外装カバーの内周面との間に隙間を形成して、非接触状態にて配することができる。これにより、外装カバーを開閉自在に構成する場合においても、外装カバーの開閉時に保護プレートとの接触、当接が行われず外装カバーの取付作業を容易に行うことができる。しかも、開閉式の外装カバーであっても外装カバーの設置時に、保護プレートに外装カバーを当接させて位置決めする必要がなく、外装カバーの設置作業を簡単に行うことができる。
また、保護プレートがレボフレーム上に取付けられているので、レボフレームに対して保護プレートを強固に取付けることができ、外装カバーに対する保護を強固な状態で行うことができる。
【手続補正８】
【補正対象書類名】明細書
【補正対象項目名】００２１
【補正方法】削除
【補正の内容】
【手続補正９】
【補正対象書類名】明細書
【補正対象項目名】００２４
【補正方法】変更
【補正の内容】
【００２４】
本願請求項３に係わる発明は、請求項１又は２の事項に加えて、保護プレートのフランジ部に、切欠部を形成してなる旋回作業車両である。
【手続補正１０】
【補正対象書類名】明細書
【補正対象項目名】００２５
【補正方法】変更
【補正の内容】
【００２５】
この発明では、保護プレートのフランジ部に切欠部を形成し、同切欠部を通って外装カバー内に配設した機械類、油圧回路類、電気回路類等の部材に外部から接近することができる。これにより、同部材の修理、調整等の作業において保護プレートをレボフレームあるいは架台から取外すことなく、保護プレートをレボフレームあるいは架台に取付けたままの状態で、しかも保護プレートのフランジ部に邪魔されることなく作業を行うことができるようになる。
尚、保護プレートを架台に取付ける場合には、保護プレートに載置部を形成することは必ずしも必要としないものであり、フランジ部に架台への取付手段を形成して行うことができる。
【手続補正１１】
【補正対象書類名】明細書
【補正対象項目名】００２６
【補正方法】変更
【補正の内容】
【００２６】
本願請求項４に係る発明は、請求項１〜３のいずれかに記載の事項に加えて、前記外装カバー及び前記保護プレートが、前記上部旋回体の左右後端部における少なくとも一方に配置されてなる旋回作業車両である。
【手続補正１２】
【補正対象書類名】明細書
【補正対象項目名】００２７
【補正方法】変更
【補正の内容】
【００２７】
上部旋回体の左右後端部側は、最大旋回軌跡の範囲外にはみ出てしまう部分を有しており、上部旋回体の旋回時において、左右後端部側が障害物に接触、衝突してしまう危険性がある。
この発明では、上部旋回体の左右後端部側のうち少なくとも一方に、前記外装カバー及び前記保護プレートを配置することができるので、上部旋回体の旋回時に最大旋回軌跡の範囲外にはみ出てしまう外装カバーの部分に、保護プレートを配置しておくことができる。これにより、外装カバーが障害物に接触、衝突したとしても、保護プレートによって外装カバーとしての機能が損なわれるのを防止できる。しかも、外装カバーの底部側をレボフレーム側に屈曲させ、外装カバーの底部側に膨らみを持たせた形状に形成するなど、外装カバーのデザイン形成に制限を加えることなく、自由度を持ってデザインすることができる。
【手続補正１３】
【補正対象書類名】明細書
【補正対象項目名】００２８
【補正方法】削除
【補正の内容】
【手続補正１４】
【補正対象書類名】明細書
【補正対象項目名】００３１
【補正方法】変更
【補正の内容】
【００３１】
特に、開閉自在の外装カバーを大型の開閉扉を有する外装カバーとした場合であったとしても、しかも開閉扉の大型化に伴って外装カバーの重量を軽減するために外装カバーの肉厚を極端に薄くしている場合であったとしても、外装カバーの内面側を保護プレートで保護しているので、外装カバーが障害物に接触、衝突しても過剰な変形が生じず、外装カバーのヒンジ取付け部や施錠取付け部が変形して、外装カバーの開閉、施錠ができなくなる事態を防止することができる。